(57)【特許請求の範囲】
【請求項１】
検体の粘膜表面を撮像して複数色の画像信号からなるカラー画像信号を生成する画像信号生成部と、
前記カラー画像信号に基づいてベース画像を生成するベース画像生成部と、
前記カラー画像信号のうち少なくとも短波長の画像信号に周波数フィルタリング処理を施して、互いに深さが異なる複数の血管を抽出した血管抽出信号を得る周波数フィルタリング処理部と、
前記血管抽出信号から各血管のエッジの強度を求めるエッジ強度算出部と、
前記各血管のエッジの強度に基づく表示制御処理を前記ベース画像に対して行って、前記深さが異なる複数の血管の少なくとも３層の各血管の表示を制御した特殊画像を作成する特殊画像生成部とを備えることを特徴とする内視鏡システム。
【請求項２】
前記血管抽出信号上の複数の血管には、エッジの強度が一定値を超えるダウンエッジの第１層血管と、この第１層血管よりも深い位置にあり、エッジの強度が前記一定値以下となるダウンエッジの第２層血管が含まれることを特徴とする請求項１記載の内視鏡システム。
【請求項３】
前記特殊画像は、前記第１層血管をダウンエッジで表示し、前記第２層血管をアップエッジで表示する第１特殊画像であることを特徴とする請求項２記載の内視鏡システム。
【請求項４】
前記特殊画像生成部は、
前記血管抽出信号のうち、前記第２層血管をアップエッジに変更した第１表示制御用画像を生成する第１表示制御用画像生成部と、
前記ベース画像に前記第１表示制御用画像を加算して、前記ベース画像中のダウンエッジの第２層血管をアップエッジにすることにより、前記第１特殊画像を生成する画像合成部とを備えることを特徴とする請求項３記載の内視鏡システム。
【請求項５】
前記特殊画像は、前記第１層血管及び第２層血管を選択的に強調又は抑制した第２特殊画像であることを特徴とする請求項２記載の内視鏡システム。
【請求項６】
前記特殊画像生成部は、
前記血管抽出信号に基づいて、血管毎に、前記エッジの強度に応じた強調量又は抑制量を定めた第２表示制御用画像を生成する第２表示制御用画像生成部と、
前記ベース画像に前記第２表示制御用画像を合成して、前記第２特殊画像を生成する画像合成部とを備えることを特徴とする請求項５記載の内視鏡システム。
【請求項７】
前記第１層血管は極表層血管であり、前記第２層血管は表層血管又は中層血管であることを特徴とする請求項２ないし６いずれか１項記載の内視鏡システム。
【請求項８】
前記短波長の画像信号は、波長範囲が３８０〜４４０nmの紫色光に対応することを特徴とする請求項１ないし７いずれか１項記載の内視鏡システム。
【請求項９】
前記紫色光を前記検体に照射する紫色光照明部を備え、
前記短波長の画像信号は、前記紫色光で照明中の検体を撮像することにより得られることを特徴とする請求項８記載の内視鏡システム。
【請求項１０】
白色光を前記検体に照射する白色光照明部と、
前記白色光で照明中の検体を撮像して得られる白色画像に基づく分光演算により、前記短波長の画像信号を生成する分光演算部とを備えることを特徴とする請求項８記載の内視鏡システム。
【請求項１１】
前記カラー画像信号には、波長範囲が４８０〜６００nmの緑色光又は波長範囲が５３０〜５５０nmの緑色狭帯域光に対応する長波長の画像信号が含まれ、
前記ベース画像は、前記短波長の画像信号及び長波長の画像信号に基づいて生成されることを特徴とする請求項８ないし１０いずれか１項記載の内視鏡システム。
【請求項１２】
検体の粘膜表面を撮像して複数色の画像信号からなるカラー画像信号を生成する画像信号生成部を有する内視鏡が接続されるプロセッサ装置において、
前記カラー画像信号を受信する受信部と、
前記カラー画像信号に基づいてベース画像を生成するベース画像生成部と、
前記カラー画像信号のうち少なくとも短波長の画像信号に周波数フィルタリング処理を施して、互いに深さが異なる複数の血管を抽出した血管抽出信号を得る周波数フィルタリング処理部と、
前記血管抽出信号から各血管のエッジの強度を求めるエッジ算出部と、
前記各血管のエッジの強度に基づく表示制御処理を前記ベース画像に対して行って、前記深さが異なる複数の血管の少なくとも３層の各血管の表示を制御した特殊画像を作成する特殊画像生成部とを備えることを特徴とするプロセッサ装置。
【請求項１３】
画像信号生成部が、検体の粘膜表面を撮像して複数色の画像信号からなるカラー画像信号を生成するステップと、
ベース画像生成部が、前記カラー画像信号に基づいてベース画像を生成するステップと、
周波数フィルタリング処理部が、前記カラー画像信号のうち少なくとも短波長の画像信号に周波数フィルタリング処理を施して、互いに深さが異なる複数の血管を抽出した血管抽出信号を得るステップと、
エッジ算出部が、前記血管抽出信号から各血管のエッジの強度を求めるステップと、
特殊画像生成部が、前記各血管のエッジの強度に基づく表示制御処理を前記ベース画像に対して行って、前記深さが異なる複数の血管の少なくとも３層の各血管の表示を制御した特殊画像を作成するステップとを有することを特徴とする内視鏡システムの作動方法。
【発明の詳細な説明】
【技術分野】
【０００１】
本発明は、狭帯域光を用いて血管などの構造組織を強調して観察する内視鏡システム及びプロセッサ装置並びに内視鏡システムの作動方法に関する。
【背景技術】
【０００２】
医療分野においては、光源装置、内視鏡装置、プロセッサ装置を備える内視鏡システムを用いた診断が広く行われている。内視鏡システムを用いる診断では、白色光などの広帯域の光を用いて検体内を全体的に観察する通常観察の他に、特定波長に狭帯域化した狭帯域光を用いて検体内の血管や腺管構造など構造組織を強調する狭帯域光観察も行われつつある。
【０００３】
狭帯域光観察では、青色の狭帯域光によって検体の表層組織に分布する表層血管を強調するとともに、検体の中深層組織に分布する中層血管を強調している。しかしながら、診断の目的によっては、表層血管又は中層血管のいずれかのみに着目して観察を行う場合があり、表層血管又は中層血管のうち、いずれか一方のみを強調し、もう一方を抑制して表示することが求められている。これに対して、特許文献１では、表層組織に関する生体情報を持つ青色画像と中深層組織に関する生体情報を持つ緑色画像間の輝度比B／Gで構成されるB／G画像から、表層血管又は中層血管を抽出し、その血管を抽出した画像をベース画像に合成することによって、表層血管又は中層血管を選択的に強調・抑制している。
【先行技術文献】
【特許文献】
【０００４】
【特許文献１】特開２０１２−１５２４５９公報
【発明の概要】
【発明が解決しようとする課題】
【０００５】
検体内の血管の中でも、表層血管については、診断上重要な部位である。したがって、粘膜表面に極めて近い位置にある極表層血管と、それよりも深い表層血管とを分離して表示し、また、それぞれの血管を選択的に強調表示又は抑制表示して、診断の精度を向上することが求められている。しかしながら、極表層血管と表層血管はいずれも青色画像に含まれることが多い。したがって、特許文献１に示すようなB／G画像からは、極表層血管と表層血管を別々に抽出することは困難であるため、それら極表層血管と表層血管とを分離表示等することは難しい。
【０００６】
本発明は、極表層血管とそれよりも深い表層血管とを分離して表示し、またそれら血管を選択的に強調・抑制することができる内視鏡システム及びプロセッサ装置並びに内視鏡システムの作動方法を提供することを目的とする。
【課題を解決するための手段】
【０００７】
上記目的を達成するために、本発明の内視鏡システムは、検体の粘膜表面を撮像して複数色の画像信号からなるカラー画像信号を生成する画像信号生成部と、カラー画像信号に基づいてベース画像を生成するベース画像生成部と、カラー画像信号のうち少なくとも短波長の画像信号に周波数フィルタリング処理を施して、互いに深さが異なる複数の血管を抽出した血管抽出信号を得る周波数フィルタリング処理部と、血管抽出信号から各血管のエッジの強度を求めるエッジ強度算出部と、各血管のエッジの強度に基づく表示制御処理をベース画像に対して行って、深さが異なる複数の血管の少なくとも３層の各血管の表示を制御した特殊画像を作成する特殊画像生成部とを備えることを特徴とする。
【０００８】
血管抽出信号上の複数の血管には、エッジの強度が一定値を超えるダウンエッジの第１層血管と、この第１層血管よりも深い位置にあり、エッジの強度が一定値以下となるダウンエッジの第２層血管が含まれることが好ましい。特殊画像は、第１層血管をダウンエッジで表示し、第２層血管をアップエッジで表示する第１特殊画像であることが好ましい。特殊画像生成部は、血管抽出信号のうち、第２層血管をアップエッジに変更した第１表示制御用画像を生成する第１表示制御用画像生成部と、ベース画像に第１表示制御用画像を加算して、ベース画像中のダウンエッジの第２層血管をアップエッジにすることにより、第１特殊画像を生成する画像合成部とを備えることが好ましい。
【０００９】
特殊画像は、第１層血管及び第２層血管を選択的に強調又は抑制した第２特殊画像であることが好ましい。特殊画像生成部は、血管抽出信号に基づいて、血管毎に、エッジの強度に応じた強調量又は抑制量を定めた第２表示制御用画像を生成する第２表示制御用画像生成部と、ベース画像に第２表示制御用画像を合成して、第２特殊画像を生成する画像合成部とを備えることが好ましい。第１層血管は極表層血管であり、第２層血管は表層血管又は中層血管であることが好ましい。
【００１０】
短波長の画像信号は、波長範囲が３８０〜４４０nmの紫色光に対応することが好ましい。紫色光を検体に照射する紫色光照明部を備え、短波長の画像信号は、紫色光で照明中の検体を撮像することにより得られることが好ましい。白色光を検体に照射する白色光照明部と、白色光で照明中の検体を撮像して得られる白色画像に基づく分光演算により、短波長の画像信号を生成する分光演算部とを備えることが好ましい。カラー画像信号には、波長範囲が４８０〜６００nmの緑色光又は波長範囲が５３０〜５５０nmの緑色狭帯域光に対応する長波長の画像信号が含まれ、ベース画像は、短波長の画像信号及び長波長の画像信号に基づいて生成されることが好ましい。
【００１１】
本発明は、検体の粘膜表面を撮像して複数色の画像信号からなるカラー画像信号を生成する画像信号生成部を有する内視鏡が接続されるプロセッサ装置において、カラー画像信号を受信する受信部と、カラー画像信号に基づいてベース画像を生成するベース画像生成部と、カラー画像信号のうち少なくとも短波長の画像信号に周波数フィルタリング処理を施して、互いに深さが異なる複数の血管を抽出した血管抽出信号を得る周波数フィルタリング処理部と、血管抽出信号から各血管のエッジの強度を求めるエッジ算出部と、各血管のエッジの強度に基づく表示制御処理をベース画像に対して行って、深さが異なる複数の血管の少なくとも３層の各血管の表示を制御した特殊画像を作成する特殊画像生成部とを備えることを特徴とする。
【００１２】
本発明の内視鏡システムの作動方法は、画像信号生成部が、検体の粘膜表面を撮像して複数色の画像信号からなるカラー画像信号を生成するステップと、ベース画像生成部が、カラー画像信号に基づいてベース画像を生成するステップと、周波数フィルタリング処理部が、カラー画像信号のうち少なくとも短波長の画像信号に周波数フィルタリング処理を施して、互いに深さが異なる複数の血管を抽出した血管抽出信号を得るステップと、エッジ算出部が、血管抽出信号から各血管のエッジの強度を求めるステップと、特殊画像生成部が、各血管のエッジの強度に基づく表示制御処理をベース画像に対して行って、深さが異なる複数の血管の少なくとも３層の各血管の表示を制御した特殊画像を作成するステップとを有することを特徴とする。
【発明の効果】
【００１３】
本発明によれば、極表層血管、表層血管、中層血管など所定深さの血管のエッジ強度に応じた表示制御処理を行っていることから、それら極表層血管、表層血管、中層血管をそれぞれ分離して表示し、またそれら極表層血管、表層血管、中層血管を選択的に強調表示又は抑制表示することができる。
【図面の簡単な説明】
【００１４】
【図１】内視鏡システムの外観図である。
【図２】第１実施形態の内視鏡システムの機能を示すブロック図である。
【図３】通常光の発光スペクトルを示すグラフである。
【図４】紫色光Ｖと緑色光Ｇの発光スペクトルを示すグラフである。
【図５】Ｂフィルタ、Ｇフィルタ、Ｒフィルタの分光透過率を示すグラフである。
【図６】Ｃ（シアン）、Ｍ（マゼンタ）、Ｙ（イエロー）及びＧ（緑）の補色フィルタの分光透過率を示すグラフである。
【図７】特殊用構造表示制御部の機能を示すブロック図である。
【図８】色彩強調済（又はベース画像）のB画像信号とこのB画像信号の所定画素ラインにおける信号分布を示す説明図である。
【図９】シミュレーションにより得られる粘膜と所定深さにおける血管の分光反射スペクトルを示すグラフである。
【図１０】血管抽出信号の所定画素ラインにおける信号分布を示すグラフである。
【図１１】第１表示制御用信号の所定画素ラインにおける信号分布を示すグラフである。
【図１２】エッジ強度と血管の強調量又は抑制量との関係を示すグラフである。
【図１３】第２表示制御用画像の所定画素ラインにおける信号分布を示すグラフである。
【図１４】第１特殊画像の生成方法を示す説明図である。
【図１５】第２特殊画像の生成方法を示す説明図である。
【図１６】本発明の一連の流れを示すフローチャートである。
【図１７】第２実施形態の内視鏡システムの機能を示すブロック図である。
【図１８】回転フィルタの平面図である。
【図１９】第３実施形態の特殊画像処理部の機能を示すブロック図である。
【図２０】図３と異なる通常光の発光スペクトルを示すグラフである。
【発明を実施するための形態】
【００１５】
［第１実施形態］
図１に示すように、第１実施形態の内視鏡システム１０は、内視鏡１２と、光源装置１４と、プロセッサ装置１６と、モニタ１８と、コンソール１９とを有する。内視鏡１２は光源装置１４と光学的に接続されるとともに、プロセッサ装置１６と電気的に接続される。内視鏡１２は、検体内に挿入される挿入部１２ａと、挿入部１２ａの基端部分に設けられた操作部１２ｂと、挿入部１２ａの先端側に設けられる湾曲部１２ｃ及び先端部１２ｄを有している。操作部１２ｂのアングルノブ１２ｅを操作することにより、湾曲部１２ｃは湾曲動作する。この湾曲動作に伴って、先端部１２ｄが所望の方向に向けられる。
【００１６】
また、操作部１２ｂには、アングルノブ１２ｅの他、モード切替ＳＷ１３ａと、ズーム操作部１３ｂが設けられている。モード切替ＳＷ１３ａは、通常観察モードと、特殊観察モードの２種類のモード間の切り替え操作に用いられる。通常観察モードは、白色光を用いて通常画像をモニタ１８上に表示するモードであり、特殊観察モードは、表層血管などの特定構造を粘膜とのコントラスト差を付けて強調表示することができる光を用いて、モニタ１８上に特殊画像を表示するモードである。特殊画像には、検体内における深さが異なる複数の血管を分離して表示する第１特殊画像と、検体内における深さが異なる複数の血管を選択的に強調又は抑制表示する第２特殊画像がある。ズーム操作部１３ｂは、ズームレンズ４７（図２参照）の駆動操作に用いられ、ズームレンズ４７をテレ側に移動させることにより、検体を拡大する。なお、特殊観察モードにおいて、第１特殊画像又は第２特殊画像いずれを表示するかは、コンソール１９の操作によって設定される。
【００１７】
プロセッサ装置１６は、モニタ１８及びコンソール１９と電気的に接続される。モニタ１８は、画像情報等を出力表示する。コンソール１９は、機能設定等の入力操作を受け付けるUI（ユーザーインターフェース）として機能する。なお、プロセッサ装置１６には、画像情報等を記録する外付けの記録部（図示省略）を接続してもよい。
【００１８】
図２に示すように、光源装置１４は、V-LED（Violet Light Emitting Diode）２０ａ、B-LED（Blue Light Emitting Diode）２０ｂ、G-LED（Green Light Emitting Diode）２０ｃ、R-LED（Red Light Emitting Diode）２０ｄ、これら４色のＬＥＤの駆動を制御する光源制御部２１、４色のLED２０a〜２０ｄから発せられる光の光路を結合する光路結合部２３を備えている。光路結合部２３で結合された光は、挿入部１２ａ内に挿通されたライトガイド４１及び照明レンズ４５を介して、検体内に照射される。なお、LEDの代わりに、LD（Laser Diode）を用いてもよい。
【００１９】
V-LED２０ａは、中心波長４０５nm、波長範囲３８０〜４４０nmの紫色光Ｖを発生する。B-LED２０ｂは、中心波長４６０nm、波長範囲４４０〜４８０nmの青色光Ｂを発生する。G-LED２０ｃは、４８０〜６００nmの間で正規分布を有する緑色光Ｇを発生する。R-LED２０ｄは、中心波長６２０〜６３０nm、波長範囲が６００〜６５０nmに及ぶ赤色光Ｒを発生する。
【００２０】
光源制御部２１は、通常観察モード時には、V-LED２０ａ、B-LED２０ｂ、G-LED２０ｃ、R-LED２０ｄを全て点灯する。これにより、図３に示すように、紫色光Ｖ、青色光Ｂ、緑色光Ｇ、赤色光Ｒの４色の光が混色することで、通常光が生成される。一方、狭帯域観察モード時には、V-LED２０ａ、G-LED２０ｃを同時点灯することにより、紫色光Ｖ、緑色光Ｇを同時に発生する。これにより、図４に示すように、V-LED２０ａからの紫色光Ｖと、緑色光Ｇとが同時に生成される。
【００２１】
図２に示すように、ライトガイド４１は、光源装置１４と内視鏡１２を接続するユニバーサルコード（図示せず）内に内蔵されており、光路結合部２３で結合された光を内視鏡１２の先端部１２ｄまで伝搬する。なお、ライトガイド４１としては、マルチモードファイバを使用することができる。一例として、コア径１０５μｍ、クラッド径１２５μｍ、外皮となる保護層を含めた径がφ０．３〜０．５ｍｍの細径なファイバケーブルを使用することができる。
【００２２】
内視鏡１２の先端部１２ｄは照明光学系３０aと撮像光学系３０ｂを有している。照明光学系３０ａは照明レンズ４５を有しており、この照明レンズ４５を介して、ライトガイド４１からの光が検体内に照射される。撮像光学系３０ｂは、撮像レンズ４６、ズームレンズ４７、撮像センサ４８を有している。検体からの反射光は、撮像レンズ４６及びズームレンズ４７を介して、撮像センサ４８に入射する。これにより、撮像センサ４８に検体の反射像が結像される。
【００２３】
撮像センサ４８はカラーの撮像素子であり、検体の反射像を撮像して画像信号を出力する。この撮像センサ４８は、ＣＣＤ(Charge Coupled Device）イメージセンサやＣＭＯＳ(Complementary Metal-Oxide Semiconductor）イメージセンサ等であることが好ましい。本発明で用いられるイメージセンサは、Ｒ（赤）、Ｇ（緑）及びＢ（青）の３色の画像信号を得るためのカラーイメージセンサ、即ち、撮像面にＲＧＢフィルタを備えた、いわゆるＲＧＢイメージセンサである。図５に示すように、RGBイメージセンサのBフィルタは３４０〜５２０nmの光を透過させ、Gフィルタは４５０〜６３０nmの光を透過させ、Rフィルタは５８０〜７７０nmの光を透過させる。したがって、検体からの反射光のうち、紫色光ＶはＢフィルタを透過し、青色光Ｂ及び緑色光ＧはBフィルタ及びGフィルタの両方を透過し、赤色光ＲはRフィルタを透過する。
【００２４】
なお、撮像センサ４８としては、RGBイメージセンサの代わりに、図６に示すような分光透過率を有するＣ（シアン）、Ｍ（マゼンタ）、Ｙ（イエロー）及びＧ（緑）の補色フィルタを備えた、いわゆる補色イメージセンサであっても良い。補色イメージセンサの場合には、ＣＭＹＧの４色の画像信号から色変換によってＲＧＢの３色の画像信号を得ることができる。この場合には、ＣＭＹＧの４色の画像信号からＲＧＢの３色の画像信号に色変換する色変換手段を、内視鏡１２又はプロセッサ装置１６のいずれかに備えている必要がある。
【００２５】
図２に示すように、撮像センサ４８から出力される画像信号は、ＣＤＳ・ＡＧＣ回路５０に送信される。ＣＤＳ・ＡＧＣ回路５０は、アナログ信号である画像信号に相関二重サンプリング（ＣＤＳ）や自動利得制御（ＡＧＣ）を行う。ＣＤＳ・ＡＧＣ回路５０を経た画像信号は、Ａ／Ｄ変換器（Ａ／Ｄコンバータ）５２により、デジタル画像信号に変換される。Ａ／Ｄ変換されたデジタル画像信号は、プロセッサ装置１６に入力される。
【００２６】
プロセッサ装置１６は、受信部５３と、光量算出部５４と、ＤＳＰ５６と、ノイズ除去部５８と、画像処理切替部６０と、通常画像処理部６２と、特殊画像処理部６４と、映像信号生成部６６とを備えている。受信部５３は内視鏡１２からのデジタルのＲＧＢ画像信号を受信する。Ｒ画像信号は撮像センサ４８のＲ画素（Ｒフィルタが設けられた画素）から出力される信号に対応し、Ｇ画像信号は撮像センサ４８のＧ画素（Ｇフィルタが設けられた画素）から出力される信号に対応し、Ｂ画像信号は撮像センサ４８のＢ画素（Ｂフィルタが設けられた画素）から出力される信号に対応している。
【００２７】
光量算出部５４は、受信部５３で受信したデジタルのRGB画像信号に基づいて露光量を算出するとともに、この算出された露光量に基づいて、通常観察モード又は特殊観察モード時に用いる光の目標光量を算出する。そして、光量算出部５４は、算出された目標光量と、V-LED２０ａ、B-LED２０ｂ、G-LED２０ｃ、R-LED２０ｄ間の設定光量比とに基づいて、各V-LED２０ａ〜２０ｄの目標光量を定めた目標光量設定信号を算出する。
【００２８】
例えば、通常観察モードでは、光量算出部５４で算出された光量を「Ｐ」とし、設定光量比を「V-LED：B-LED：G-LED：R-LED＝ａ：ｂ：ｃ：ｄ」とした場合、V-LED２０ａの目標光量は「Ｐ×（ａ／（ａ＋ｂ＋ｃ＋ｄ））」となり、B-LED２０ｂの目標光量は「Ｐ×（ｂ／（ａ＋ｂ＋ｃ＋ｄ））」となり、G-LED２０ｃの目標光量は「Ｐ×（ｃ／（ａ＋ｂ＋ｃ＋ｄ））」となり、R-LED２０ｄの目標光量は「Ｐ×（ｄ／（ａ＋ｂ＋ｃ＋ｄ））」となる。一方、特殊観察モードでは、光量算出部５４で算出された光量を「Q」とし、設定光量比を「V-LED：G-LED＝ｍ：ｎ」とした場合、V-LED２０ａの目標光量は「Q×（ｍ／（ｍ＋ｎ））」となり、G-LED２０ｃの目標光量は「Q×（ｎ／（ｍ＋ｎ））」となる。なお、光量比はコンソール１９によって設定され、通常観察モードと特殊観察モードで異なる光量比が設定される。
【００２９】
ＤＳＰ５６は、ＲＧＢ画像信号に対してガンマ補正、色補正処理を行う。ノイズ除去部５８は、ＤＳＰ５６でガンマ補正等が施されたＲＧＢ画像信号に対してノイズ除去処理（例えば移動平均法やメディアンフィルタ法等）を施すことによって、ＲＧＢ画像信号からノイズを除去する。ノイズが除去されたＲＧＢ画像信号は、画像処理切替部６０に送信される。
【００３０】
画像処理切替部６０は、モード切替ＳＷ１３ａにより、通常観察モードにセットされている場合には、ＲＧＢ画像信号を通常画像処理部６２に送信し、特殊観察モードにセットされている場合には、ＲＧＢ画像信号を特殊画像処理部６４に送信する。
【００３１】
通常画像処理部６２は、通常用色変換部６８と、通常用色彩強調部７０と、通常用構造強調部７２とを有し、検体内を通常の生体の色調で表現した通常画像を生成する。通常用色変換部６８は、デジタルのＲＧＢ画像信号に対して色変換処理を施すことにより、色変換済RGB画像信号を出力する。通常用色変換部６８では、更に、色変換済ＲＧＢ画像信号に対して階調変換処理を行って、階調変換済ＲＧＢ画像信号を出力する。通常用色彩強調部７０は、階調変換済ＲＧＢ画像信号に対して、各種色彩強調処理を施す。通常用構造強調部７２は、色彩強調処理済ＲＧＢ画像信号に対して、シャープネスや輪郭強調等の構造強調処理を行う。通常用構造強調部７２で構造強調処理が施されたRGB画像信号は、通常画像のRGB画像信号として、映像信号生成部６６に入力される。
【００３２】
特殊画像処理部６４は、特殊用色変換部７４と、特殊用色彩強調部７６と、特殊用構造表示制御部７８とを有し、極表層血管と表層血管及び中層血管とを分離して表示する第１特殊画像、又は極表層血管、表層血管、中層血管を選択的に強調又は抑制表示する第２特殊画像を生成する。極表層血管、表層血管、中層血管については、この順で、粘膜表面からの深さが大きくなっている。特殊用色変換部７４は、デジタルのRGB画像信号に対して色変換処理を施すことにより、色変換済RGB画像信号を出力する。特殊観察モードでは、撮像センサ４８のうちB画素及びG画素に感応し、R画素に感応しない紫色光Ｖ及び緑色光Ｇが検体内に同時照射されるため、血管などの検体に関する情報が含まれているのは、B画像信号及びG画像信号であり、R画像信号にはほとんどは含まれていない。したがって、以下のような変換式（１）〜（３）のように、R画像信号は使用せずに、B画像信号及びG画像信号のみに基づいて、色変換処理が行われる。
色変換済R画像信号＝ｋ１×G画像信号・・・（１）
色変換済G画像信号＝ｋ２×B画像信号・・・（２）
色変換済B画像信号＝ｋ３×B画像信号・・・（３）
ここで、ｋ１〜ｋ３は正の係数である。
【００３３】
特殊用色変換部７４では、更に、色変換済ＲＧＢ画像信号に対して階調変換処理を行って、階調変換済ＲＧＢ画像信号を出力する。特殊用色彩強調部７６は、階調変換済ＲＧＢ画像信号に対して、各種色彩強調処理を施す。特殊用構造表示制御部７８は、詳しくは後述するように、色彩強調処理済ＲＧＢ画像信号に対して、極表層血管、表層血管、中層血管の表示制御処理を行う。特殊用構造表示制御部７８で構造表示制御処理が施されたＲＧＢ画像信号は、映像信号生成部６６に入力される。
【００３４】
図７に示すように、特殊用構造表示制御部７８は、ベース画像生成部８０と、周波数フィルタリング処理部８１と、エッジ強度算出部８２、第１表示制御用画像生成部８３と、第２表示制御用画像生成部８４と、画像合成部８５とを備えている。ベース画像生成部８０及び周波数フィルタリング処理部８１には、それぞれ特殊用色彩強調部７６で色彩強調処理済のＲＧＢ画像信号が入力される。なお、本発明の特殊画像生成部は、第１表示制御用画像生成部８３と画像合成部８５とで構成され、又は第２表示制御用画像生成部８４と画像合成部８５とで構成される。
【００３５】
色彩強調済のRGB画像信号のうちB画像信号については、図８に示すように、所定画素ラインPLにおいて、極表層血管C１A、表層血管C１B、中層血管C２は、それぞれ粘膜Mよりも画素値が低いダウンエッジとなっている。また、ダウンエッジとなる血管のうち、極表層血管C１Aの画素値が一番低く、その次に画素値が低いのは表層血管C1Bであり、画素値が一番大きいのは中層血管C2である。色彩強調済のRGB画像信号のうちG画像信号についても、図８に示すB画像信号と同様の分布を有している。
【００３６】
このように、血管の深さが小さくなる程、画素値が小さくなって粘膜Mとのコントラストが大きくなるのは、以下の理由からである。色彩強調済のRGB画像信号のうちB画像信号及びG画像信号は、紫色光Ｖを撮像センサ４８のB画素で光電変換して得られるB画像信号を、色変換処理した信号に対応している（上記変換式（１）〜（３）参照）。したがって、B画像信号及びG画像信号中の血管部分の画素値は、紫色光Ｖを照射したときの血管の反射光の光量によって大きく影響を受ける。ここで、波長範囲３８０〜４４０nmの紫色光Ｖに対する血管の反射率は、図９のシミュレーション結果に示すように、粘膜表面から血管までの距離を示す血管深さｄによって、異なっている。
【００３７】
図９は、粘膜Mの反射率Rｍに加えて、血管径（血管の太さ）が１０μｍの場合に、所定波長の光を血管に照射したときの血管の反射率R１〜R３と、血管径（血管の太さ）が４０μｍの場合に、所定波長の光を血管に照射したときの血管の反射率R4とを示している。R１は血管深さｄが５μｍのときの反射率であり、R２は血管深さｄが１０μｍのときの反射率であり、R３は血管深さｄが１５μｍのときの反射率であり、R４は血管深さｄが４０μｍのときの反射率である。以上の波長と血管の反射率の関係から、紫色光Ｖの波長範囲である３８０〜４４０nmにおいては、血管深さが小さくなる程、反射率が低くなって、B画像信号及びG画像信号中における血管部分の画素値が小さくなることが分かる。即ち、B画像信号及びG画像信号中で、深さが小さい血管部分ほど、粘膜Mとのコントラストが大きくなっている。
【００３８】
なお、上記のように、血管深さが小さくなる程、血管部分の画素値が小さくなるということは、紫色光Ｖのような波長範囲４４０nm以下の可視光に関しては、血管深さに対する分解能があることに相当する。これに対して、波長範囲が４４０nmを超える光に関しては、血管深さｄが５〜１５μｍの反射率はほぼ同じになるため、血管深さが小さくなっても、血管部分の画素値の変化はほとんどない。即ち、血管深さｄが５〜１５μｍの範囲内では、血管深さの分解能は有していない。なお、本実施形態では、極表層血管C1Aについては、おおよそ粘膜表面から８μｍまでの深さの範囲に位置し、表層血管C１Bについては、おおよそ８μｍ〜２０μｍまでの深さの範囲に位置し、おおよそ中層血管C2については、２０〜４５μｍまでの深さの範囲に位置するものとするが、深さの定義はこれに限られない。
【００３９】
ベース画像生成部８０は、色彩強調処理済のRGB画像信号から、ベース画像を生成する。ベース画像はRGB画像信号からなり、このRGB画像信号は色彩強調処理済のRGB画像信号にそれぞれに対応している。周波数フィルタリング処理部８１は、色彩強調処理済のＢ画像信号に対して、極表層血管C1A、表層血管C１B、中層血管C２の太さに対応する周波数帯域成分を抽出する周波数フィルタリング処理を施す。B画像信号については、周波数フィルタリング処理により、図１０に示すような、極表層血管C1A、表層血管C１B、中層血管C２部分の出力値が「負」で、粘膜M部分の出力値が「０」となる血管抽出信号が得られる。なお、周波数フィルタリング処理部８１では、B画像信号及びG画像信号の両方に周波数フィルタリングを施してもよい。
【００４０】
エッジ強度算出部８２は、血管抽出信号中の血管毎にエッジ強度を求める。血管抽出信号は、上記したように、血管深さが小さくなる程、画素値が小さくなるB画像信号及びG画像信号を周波数フィルタリング処理して得られる信号であるため、血管深さが小さくなる程、出力値の絶対値が大きくなっている。即ち、血管深さが小さくなる程、粘膜Mとのコントラストが大きくなって、エッジ強度が大きくなる。したがって、図１０に示すように、エッジ強度算出部８２で算出されるエッジ強度のうち、極表層血管C1Aのエッジ強度P１Aが一番大きく、その次に小さいのが表層血管C１Bのエッジ強度P１Bであり、一番小さいのが中層血管C２のエッジ強度P2である（P1A＞P１B＞P２）。
【００４１】
第１表示制御用画像生成部８３は、極表層血管C1Aと表層血管C１B及び中層血管C２とを分離して表示するために用いられる第１表示制御用画像を生成する。この第１表示制御用画像生成部８３では、エッジ強度P1B以下の血管をアップエッジに変更する処理を行うとともに、第１表示制御用画像をベース画像に合成したときに粘膜よりも明るくなるように、アップエッジの出力値を大きくする処理を行う。一方、エッジ強度P1Bを超える血管についてはダウンエッジを維持する。これにより、第１表示制御用画像が得られる。例えば、図１１の第１表示制御用画像であれば、極表層血管C１Aについては、エッジ強度P1Aが閾値であるP１Bを超えているため、アップエッジには変更されていない。これに対して、表層血管C１B及び中層血管C２については、エッジ強度P１B及びP２が閾値P1B以下であるため、それぞれの表層血管C１B及び中層血管C２の出力値に対して所定の係数を乗算して、アップエッジに変更されるとともに出力値が大きくなっている。
【００４２】
第２表示制御用画像生成部８４は、表層血管C1A、表層血管C１B、中層血管C２を選択的に強調表示又は抑制表示するために用いられる第２表示制御用画像を生成する。この第２表示制御用画像生成部８４では、血管抽出信号において血管毎に血管のエッジ強度に応じた強調量又は抑制量を設定して第２表示制御用画像を生成する。第２表示制御用画像生成部８４では、エッジ強度と血管の強調量又は抑制量との関係を記憶するLUT８４aを有しており、このLUT８４aを参照して、血管毎に、エッジ強度に対応する強調量又は抑制量を設定する。これにより、第２表示制御用画像が得られる。例えば、エッジ強度が閾値P1Bを超えるときに強調し、エッジ強度がP1B以下のときに抑制する場合には、図１２の入出力関係に示すように、閾値P1Bを超える入力に対しては入出力関係９０を用いる一方で、閾値P1B以下の入力に対しては入出力関係９１を用いる。
【００４３】
したがって、極表層血管C１Aに関しては、エッジ強度P1Aが閾値P１Bを超えているため、入出力関係９０が用いられる。この入出力関係９０によって、エッジ強度P1Aに対応する強調量E１Aが設定される。これに対して、表層血管C１B及び中層血管C2に関しては、エッジ強度P１B及びP2が閾値P１B以下であるため、入出力関係９１が用いられる。この入出力関係９１によって、エッジ強度P１B及びP2に対応する抑制量D１B及びD２が設定される。これにより、図１３に示すように、各血管C１A、C１B、C２に、強調量E1A又は抑制量D1B、D2が設定された第２表示制御用画像が生成される。なお、LUTの入出力関係については、コンソール１９等の操作によって、適宜、更新可能である。
【００４４】
画像合成部８５は、第１表示制御用画像をベース画像に合成することにより、極表層血管C1Aと表層血管C１B及び中層血管C２とを分離して表示可能な第１特殊画像を生成する。また、画像合成部８５は、第２表示制御用画像をベース画像に合成することにより、極表層血管C1A、表層血管C１B、中層血管C２を選択的に強調表示又は抑制表示可能な第２特殊画像を生成する。また、第１及び第２表示制御用画像のうち粘膜Mの部分は「０」であるので、ベース画像に合成したとしても、粘膜Mを強調又は抑制することがない。なお、画像合成部８５では、ベース画像のうちＢ画像信号に第１又は第２表示制御用画像を加算するが、ベース画像のG画像信号又はR画像信号に対して第１又は第２表示制御用画像を加算してもよい。
【００４５】
例えば、図８に示すベース画像のB画像信号に対して、図１１に示す第１表示制御用画像を加算した場合には、図１４に示すように、極表層血管C１Aについては、ダウンエッジを維持する一方で、表層血管C１B及び中層血管C２については、ダウンエッジから、粘膜Mよりも明るくなるアップエッジに変更された第１特殊画像が得られる。このように、極表層血管C1Aをダウンエッジで表示し、表層血管C１B及び中層血管C２をアップエッジで表示することで、第１特殊画像上では、極表層血管C1Aと表層血管C１B及び中層血管C２を分離して表示される。
【００４６】
また、図８に示すベース画像のB画像信号に対して、図１３に示す第２表示制御用画像を加算した場合には、図１５の第２特殊画像に示すように、極表層血管C１Aについては、第２表示制御用画像との加算により、画素値が低下して粘膜Mとのコントラストが大きくなる。これにより、極表層血管C1Aは強調表示される。これに対して、表層血管C１B及び中層血管C２については、第２表示制御用画像との加算により、画素値が大きくなって粘膜Mとのコントラストが小さくなる。これにより、表層血管C１B及び中層血管C２は抑制表示される。以上から、第２特殊画像では、極表層血管C１A、表層血管C1B、中層血管C２が選択的に強調又は抑制表示されている。
【００４７】
映像信号生成部６６は、通常画像処理部６２又は特殊画像処理部６４から入力された通常画像のRGB画像信号、第１特殊画像のRGB画像信号、第２特殊画像のRGB画像信号を、モニタ１８で表示可能画像として表示するための映像信号に変換する。この変換後の映像信号に基づいて、モニタ１８は、通常観察モード時には通常画像を表示し、特殊観察モード時には、第１特殊画像又は第２特殊画像を表示する。
【００４８】
次に、本発明の作用について、図１６に示すフローチャートを参照しながら説明する。まず、通常観察モードにおいて、遠景状態からスクリーニングを行う。このスクリーニング時に、ブラウニッシュエリアや発赤など病変の可能性がある部位（病変可能性部位）を検出したときには、ズーム操作部１３ｃを操作して、その病変可能性部位を拡大表示する拡大観察を行う。これに合わせて、モード切替ＳＷ１３aを操作して、特殊観察モードに切り替える。
【００４９】
モード切替ＳＷ１３ａにより特殊観察モードに切り替えられるとV-LED２０ａ、G-LED２０ｃのみ点灯する。これにより、紫色光Ｖ、緑色光Ｇが検体内に同時に照射される。これら紫色光Ｖ及び緑色光Ｇで照明された検体は、撮像センサ４８によって撮像される。撮像センサ４８からはＲＧＢ画像信号が出力される。
【００５０】
出力されたRGB画像信号に基づいて、極表層血管C１A、表層血管C1B、中層血管C２の表示制御を行うためのベース画像を生成する。また、B画像信号に対して周波数フィルタリング処理を施すことによって、粘膜Mの出力値を「０」にし、極表層血管C１A、表層血管C1B、中層血管C２の出力値を「負」にした血管抽出信号を生成する。この血管抽出信号から、極表層血管C１A、表層血管C1B、中層血管C２のエッジの強度を算出する。そして、血管抽出信号とエッジの強度に基づいて、極表層血管C1A、表層血管C１B、中層血管C２の表示制御に用いる第１又は第２表示制御用画像を生成する。
【００５１】
第１又は第２表示制御用画像をベース画像に合成することにより、第１又は第２特殊画像が生成される。第１又は第２特殊画像はモニタ１８上に表示される。第１特殊画像は、極表層血管C1Aと表層血管C１B及び中層血管C２とを分離して表示され、第２特殊画像は、極表層血管C1A、表層血管C１B、中層血管C２を選択的に強調表示又は抑制表示される。第１又は第２特殊画像の表示後は、モード切替SW１３aにより通常観察モードに切り替えられるまで継続される。また、通常観察モードに切り替えられない場合であっても、内視鏡診断が完了したら、内視鏡１２を検体から抜いてモニタ１８への画像の表示を停止する。
【００５２】
［第２実施形態］
上記第１実施形態では、各観察モードに必要な複数の画像信号をカラーの撮像センサで同時に取得しているが、これに代えて、第２実施形態では、各観察モードに必要な複数の画像信号をモノクロの撮像センサで順次取得する。
【００５３】
図１７に示すように、面順次式の内視鏡システム２００の光源装置１４には、V-LED２０a等の代わりに、広帯域光源２０２、回転フィルタ２０４、フィルタ切替部２０５が設けられている。また、撮像光学系３０ｂには、カラーの撮像センサ４８の代わりに、カラーフィルタが設けられていないモノクロの撮像センサ２０６が設けられている。それ以外については、第１実施形態の内視鏡システム１０と同様である。
【００５４】
広帯域光源２０２はキセノンランプ、白色ＬＥＤなどであり、波長域が青色から赤色に及ぶ白色光を発する。回転フィルタ２０４は、内側に設けられた通常観察モード用フィルタ２０８と、外側に設けられた特殊観察モード用フィルタ２０９とを備えている（図１８参照）。フィルタ切替部２０５は、回転フィルタ２０４を径方向に移動させるものであり、モード切替ＳＷ１３aにより通常観察モードにセットされたときに、回転フィルタ２０４の通常観察モード用フィルタ２０８を白色光の光路に挿入し、特殊観察モードにセットされたときに、回転フィルタ２０４の特殊観察モード用フィルタ２０９を白色光の光路に挿入する。
【００５５】
図１８に示すように、通常観察モード用フィルタ２０８には、周方向に沿って、白色光のうち青色光を透過させるＢフィルタ２０８ａ、白色光のうち緑色光を透過させるＧフィルタ２０８ｂ、白色光のうち赤色光を透過させるＲフィルタ２０ｃが設けられている。したがって、通常観察モード時には、回転フィルタ２０４が回転することで、青色光、緑色光、赤色光が交互に検体内に照射される。
【００５６】
特殊観察モード用フィルタ２０９には、周方向に沿って、白色光のうち中心波長４０５nm、波長範囲３８０〜４４０nmの紫色光Ｖを透過させるVnフィルタ２０９ａと、５３０〜５５０nmの緑色狭帯域光Ｇｎを透過させるＧｎフィルタ２０９ｂが設けられている。したがって、特殊観察モード時には、回転フィルタ２０４が回転することで、紫色光Ｖ、緑色狭帯域光Ｇｎが交互に検体内に照射される。なお、本発明の紫色光照明部は、広帯域光源２０２と回転フィルタ２０のVnフィルタ部２０９aとから構成される。
【００５７】
面順次方式の内視鏡システム２００では、通常観察モード時には、青色光、緑色光、赤色光が検体内に照射される毎にモノクロの撮像センサ２０６で検体内を撮像する。これにより、ＲＧＢの３色の画像信号が得られる。そして、それらＲＧＢの画像信号に基づいて、上記第１実施形態と同様の方法で、通常画像が生成される。一方、特殊観察モード時には、紫色光Ｖ、緑色狭帯域光Ｇｎが検体内に照射される毎にモノクロの撮像センサ２０６で検体内を撮像する。これにより、Ｂ画像信号と、Ｇｎ画像信号（第１実施形態のＧ画像信号に相当する）が得られる。これらＢ画像信号と、Ｇｎ画像信号に基づいて、上記第１実施形態と同様の方法で、第１又は第２特殊画像の生成が行われる。
【００５８】
［第３実施形態］
上記第１及び第２実施形態では、第１又は第２特殊画像を生成するために、紫色光Ｖ及び緑色光Ｇを照射し撮像することにより、紫色光Ｖ及び緑色光Ｇに対応するB画像信号及びG画像信号を取得しているが、第３実施形態では、白色画像などの広帯域画像に基づく分光演算により、紫色光Ｖ及び緑色光Ｇに対応するB画像信号及びG画像信号を取得してもよい。
【００５９】
この場合には、第１実施形態の内視鏡システム１０の特殊観察モード時において、V-LED２０a等の代わりに、広帯域光である白色光を広帯域光源（本発明の白色光照明部に相当）照明する。そして、図１９に示すように、特殊画像処理部６４において分光演算部３００を設け、この分光演算部３００において、白色光の発光・撮像により得られる白色画像のＲＧＢ画像信号に基づく分光演算処理を行う。この分光演算処理により、白色光の反射光の含まれる紫色光Ｖ（３８０〜４４０nm）及び緑色光Ｇ（４８０〜６００nm）に対応するB画像信号及びG画像信号を生成する。第３実施形態では、分光演算部３００で生成されたB画像信号及びG画像信号に基づいて、上記第１実施形態と同様の方法で、第１又は第２特殊画像を生成する。なお、白色光としては、蛍光体４４により得られる白色光の他、キセノンランプなどの広帯域光源から発せられる広帯域光を用いてもよい。
【００６０】
上記第１及び第２実施形態では、特殊観察モードにおいては、紫色光Ｖ及び緑色光Ｇに加えて、赤色光Rを照射してもよい。この場合には、RGB画像信号の全てに、血管などの検体に関する情報が含まれることから、特殊用色変換部７４では、以下の変換式（１´）〜（３´）のように、RGB画像信号全てに対して色変換処理を行う。
色変換済R画像信号＝ｋ１´×R画像信号・・・（１´）
色変換済G画像信号＝ｋ２´×G画像信号・・・（２´）
色変換済B画像信号＝ｋ３´×B画像信号・・・（３´）
ここで、ｋ１´〜ｋ３´は正の係数である。
【００６１】
なお、第１実施形態では、図３及び図４に示すような発光スペクトルを有する光を用いたが、発光スペクトルはこれに限られない。例えば、図２０に示すように、緑色光G及び赤色光Rについては同様のスペクトルを有する一方で、紫色光Vについては中心波長４１０〜４１５nmでやや長波長側に波長範囲を有するものに代えるとともに、青色光Bについては中心波長４４５〜４６０nmでやや短波長側に波長範囲を有するものに代えてもよい。ただし、この場合には、各血管Ｃ１Ａ、Ｃ１Ｂ、Ｃ２のエッジ強度を算出できるようにするため、紫色光Vの波長範囲の上限値を４４０nmよりも短波長側にする必要がある。
【００６２】
なお、上記実施形態では、本発明の実施を内視鏡の診断中に行ったが、これに限らず、内視鏡診断後、内視鏡システムの記録部に記録しておいた内視鏡画像に基づいて、本発明の実施を行ってもよく、また、カプセル内視鏡で取得したカプセル内視鏡画像に基づいて、本発明の実施を行ってもよい。
【符号の説明】
【００６３】
１０，２００  内視鏡システム
２０a，２０６  V-LED（紫色光照明部）
４８  撮像センサ（画像信号生成部）
８０  ベース画像生成部
８１  周波数フィルタリング処理部
８２  エッジ強度算出部
８３  第１表示制御用画像生成部
８４  第２表示制御用画像生成部
８５  画像合成部
３００  分光演算部
【図１】
0005869541.tif 000002
【図２】
0005869541.tif 000003
【図３】
0005869541.tif 000004
【図４】
0005869541.tif 000005
【図５】
0005869541.tif 000006
【図６】
0005869541.tif 000007
【図７】
0005869541.tif 000008
【図８】
0005869541.tif 000009
【図９】
0005869541.tif 000010
【図１０】
0005869541.tif 000011
【図１１】
0005869541.tif 000012
【図１２】
0005869541.tif 000013
【図１３】
0005869541.tif 000014
【図１４】
0005869541.tif 000015
【図１５】
0005869541.tif 000016
【図１６】
0005869541.tif 000017
【図１７】
0005869541.tif 000018
【図１８】
0005869541.tif 000019
【図１９】
0005869541.tif 000020
【図２０】
0005869541.tif 000021